(57)【特許請求の範囲】
【請求項１】
各段の段板が水平移動可能に配されて、これら各段板が段状に整列されて階段になるとともに、上下一列に整列された格納状態にて棚になる可変階段であって、
前記各段板は、天井若しくは床の少なくとも一方に配された水平レールに、それぞれ支持材を介して支持されて案内される一方、前記格納状態における各段板の支持点が、前記階段状態において格納方向に位置する段板ほど、格納方向にずらされることによって、前記各段板および支持材に、該段板よりも格納方向の逆側に位置する段板の支持材を前記格納時に収容する収容空間を設けてなることを特徴とする可変階段。
【請求項２】
前記段板は、該段板の両側端の側方に位置する支持材に支持されるとともに、該一対の支持材は、天井若しくは床のいずれかに配された互いに平行な一対の水平レールにそれぞれ支持されていることを特徴とする請求項１に記載の可変階段。
【請求項３】
前記段板の少なくとも一方の側端が壁に沿う可変階段であって、
該壁には、前記一方の側端と係合して水平移動可能に案内する段板レールが各段板に対応してそれぞれ配されているとともに、天井若しくは床のいずれか一方には、前記段板のもう一方の側端を支持する支持材を支持する前記水平レールが前記段板レールと平行に配されていることを特徴とする請求項１に記載の可変階段。
【請求項４】
前記可変階段は、該可変階段の途中に設けられた踊り場を挟む上部階段と下部階段とを備えて、前記踊り場でＵ型に方向を変えて昇降する折り返し階段であって、
前記階段状態において上下関係にある上部階段の段板と下部階段の段板の、互いに近隣する側端が支持材を介して上下に連結されるとともに、該支持材は床に配された水平レールにて支持され、
上部階段および下部階段のそれぞれの段板のもう一方の側端は、前記水平レールと平行に天井に配された一対の水平レールにそれぞれ支持材を介して支持されることを特徴とする請求項１に記載の可変階段。
【請求項５】
各段板における格納方向の端縁には、鉛直方向に長片が延出形成されるとともに、逆側の端縁には、鉛直方向に前記長片と逆向きに延出する短片が形成され、前記階段状態になる際に、前記段板の長片が、階段状態において格納方向の直近に位置する段板の前記短片に係合して、該階段状態の位置決め手段となる一方、
各段板の前記支持材が、それぞれ格納方向直近に位置する段板の支持材に、格納状態において当接して、該格納状態の位置決め手段となることを特徴とする請求項１乃至４のいずれかに記載の可変階段。
【請求項６】
前記長片が蹴込み板であることを特徴とする請求項５に記載の可変階段。
【発明の詳細な説明】
【０００１】
【発明の属する技術分野】
本発明は、不使用時にコンパクトになって、その場に格納可能な可変階段に関する。
【０００２】
【従来の技術】
近年、その時々の使用・用途に応じて屋内を模様替え可能な多機能な家屋、例えば二階屋の二階の床材を撤去して二層吹き抜けにしたり、前記床材を敷設して二層メゾネットにしたりすることができる家屋が求められている。
【０００３】
【発明が解決しようとする課題】
しかしながら、前記模様替えの際には、一二階を連絡する屋内階段もその都度撤去および新設しなければならず費用が嵩む。また、撤去しないで放置すれば、不使用階段の分だけ利用可能空間が減殺される。
【０００４】
本発明はかかる従来の課題に鑑みて成されたもので、階段使用時には、階段として使用できて、階段不使用時にはコンパクトにその場に格納することができる可変階段を提供することを目的とする。
【０００５】
【課題を解決するための手段】
かかる目的を達成するために請求項１に示す発明は、各段の段板が水平移動可能に配されて、これら各段板が段状に整列されて階段になるとともに、上下一列に整列された格納状態にて棚になる可変階段であって、前記各段板は、天井若しくは床の少なくとも一方に配された水平レールに、それぞれ支持材を介して支持されて案内される一方、前記格納状態における各段板の支持点が、前記階段状態において格納方向に位置する段板ほど、格納方向にずらされることによって、前記各段板および支持材に、該段板よりも格納方向の逆側に位置する段板の支持材を前記格納時に収容する収容空間を設けてなることを特徴とする。
【０００６】
上記発明によれば、格納状態にて段板を上下一列に整列した状態になるので、非常にコンパクトで大きな格納スペースを要しない。
また、この格納状態にあっては、上下一列に整列した段板は、棚板となって物品を載置収納することができる。
更に、各段板の支持点は、前記階段状態において格納方向に位置する段板ほど、格納方向にずらされている。このため、各段板およびこれを支持する支持材に、該段板よりも格納方向の逆側に位置する段板の支持材を前記格納時に収容する収容空間を設けることができる。よって、同一の水平レールによって全支持材を支持しても、格納する際に支持材同士が干渉することはなく、前記水平レールの本数を最低一本から構成することができて、これが配される天井や床の美観に優れる。
【０００７】
請求項２に示す発明は、請求項１に記載の可変階段において、前記段板は、該段板の両側端の側方に位置する支持材に支持されるとともに、該一対の支持材は、天井若しくは床のいずれかに配された互いに平行な一対の水平レールにそれぞれ支持されていることを特徴とする。
【０００８】
上記発明によれば、各段板は、その両側端の側方に位置する一対の支持材を介して、一対の水平レールに支持されるため、各支持材および各水平レールの支持荷重を分散軽減できる。
また、段板を両側端で二点支持しているため、段板の姿勢が著しく安定する。
更には、支持材は、段板の両側端の側方に位置して段板を支持している。よって、各支持材の格納方向の逆側には空間が存在していて、この空間を前記収容空間として使用することができる。
【０００９】
請求項３に示す発明は、請求項１に記載の可変階段において、前記段板の少なくとも一方の側端が壁に沿う可変階段であって、該壁には、前記一方の側端と係合して水平移動可能に案内する段板レールが各段板に対応してそれぞれ配されているとともに、天井若しくは床のいずれか一方には、前記段板のもう一方の側端を支持する支持材を支持する前記水平レールが前記段板レールと平行に配されていることを特徴とする。
【００１０】
上記発明によれば、片側が壁に沿う半露出階段を、格納可能な可変階段にすることができる。
また、各段板の一方の側端は、それぞれの段板に対応して設けられた段板レールに案内されているので、段板レールおよび水平レールに作用する支持荷重を分散し軽減することができる。
更に、段板を両側端で二点支持しているため、段板の姿勢が著しく安定する。
【００１１】
請求項４に示す発明は、請求項１に記載の可変階段において、前記可変階段は、該可変階段の途中に設けられた踊り場を挟む上部階段と下部階段とを備えて、前記踊り場でＵ型に方向を変えて昇降する折り返し階段であって、前記階段状態において上下関係にある上部階段の段板と下部階段の段板の、互いに近隣する側端が支持材を介して上下に連結されるとともに、該支持材は床に配された水平レールにて支持され、上部階段および下部階段のそれぞれの段板のもう一方の側端は、前記水平レールと平行に天井に配された一対の水平レールにそれぞれ支持材を介して支持されることを特徴とする。
【００１２】
上記発明によれば、折り返し階段を、格納可能な可変階段にすることができる。
また、上部階段の段板と下部階段の段板の、互いに近隣する側端を同一の支持材によって上下に連結するとともに、該支持材は床に配された水平レールにて支持されており、つまり上部階段と下部階段のそれぞれの段板の一方の側端は、同一の支持材および水平レールにて支持されている。よって、支持材数および水平レール数を削減できる。
更に、段板を両側端で二点支持しているため、段板の姿勢が著しく安定する。
【００１３】
請求項５に示す発明は、請求項１乃至４のいずれかに記載の可変階段において、各段板における格納方向の端縁には、鉛直方向に長片が延出形成されるとともに、逆側の端縁には、鉛直方向に前記長片と逆向きに延出する短片が形成され、前記階段状態になる際に、前記段板の長片が、階段状態において格納方向の直近に位置する段板の前記短片に係合して、該階段状態の位置決め手段となる一方、各段板の前記支持材が、それぞれ格納方向直近に位置する段板の支持材に、格納状態において当接して、該格納状態の位置決め手段となることを特徴とする。
【００１４】
上記発明によれば、格納状態から階段状態にする際に、階段状態において格納方向の最も逆側に位置する段板を引き出せば、その段板の格納方向の端縁に設けられた前記長片が、該段板に対して格納方向の直近に位置する段板の前記短片に係合して、この段板が引き出され、これら段板の位置決めがなされる。
そして、これが順次格納方向へ向けて繰り返されて、簡単に階段状態にすることができる。また、この階段状態から格納状態にする際には、前記階段状態において格納方向の最も逆側に位置する段板を格納方向へ押し込めば、その支持材が、格納方向直近に位置する段板の支持材に当接して、これら段板間の位置決めがなされるとともに前記支持材を格納方向へ押し込む。そして、これが順次格納方向へ向けて繰り返されて、簡単に格納状態にすることができる。
更に、前記鉛直方向に延出する長片は、段板における格納方向の端縁に設けられているため、格納状態にあっては、段板の奥側に位置する。よって、段板の手前側を塞ぐことなく、段板を棚として何等不都合なく使用することができる。
【００１５】
請求項６に示す発明は、請求項５に記載の可変階段において、前記長片が蹴込み板であることを特徴とする。
上記発明によれば、前記位置決め手段の一方である長片を、蹴込み板で代替して省略することができる。
【００１６】
【発明の実施の形態】
以下、本発明に係る実施形態を添付図面を参照して詳細に説明する。本第１実施形態は、本発明を、直階段に適用したものであり、図１は階段状態の第１実施形態を前方から見た斜視図、図２は、図１中のII-II線矢視の側面図である。また図３は、格納状態の第１実施形態を前方から見た斜視図、図４は図３中のIV−IV線矢視の側面図である。
【００１７】
図１に示す本第１実施形態の可変階段が適用される家屋は二階屋である。そして、前記可変階段１１は、昇降方向に真っ直ぐな直階段であり、図示例では、その階段１１の左右側方および奥方にはそれぞれ側壁１ａ，１ｂおよび奥壁３がある。但し、前記側壁１ａ，１ｂは必須ではない。そして、二階の床材５のうちこの階段１１の上方の部分には、この階段１１の平面外形に沿って矩形開口７が形成され、この矩形開口７を通って一二階を行き来できるようになっている。
【００１８】
この階段１１は一二階を繋ぐ段数分の段板１３を備え、各段の段板１３は前後に水平移動可能に配されている。そして、これら各段板１３は、前方に引き出され段状に整列されて階段になるとともに、図３および４に示すように、後方の奥壁３へ押し込まれて上下一列に整列されて格納され、その際には棚となる。
【００１９】
このような機能の可変階段１１は、図１に示すように、前記矩形開口７に沿って床材５裏面たる天井５ａに配された互いに平行な一対の水平レール１５ａ，１５ｂと、この一対の水平レール１５ａ，１５ｂのそれぞれに段板数分懸吊された左右一対の吊り材１７と、この左右一対の吊り材１７の下端部に、左右側端面が挟まれて固着された段板１３とから構成され、これら段板１３の高さは、階段状態にて後方に位置する段板１３ほど高くなっている。
【００２０】
前記一対の水平レール１５ａ，１５ｂは、それぞれ各吊り材１７の上端と係合して、この吊り材１７を前後の水平方向に移動自在に案内するものであり、これら係合はリニアガイド等の周知のレール部材等にて達成される。
【００２１】
前記吊り材１７は、前記水平レール１５ａ，１５ｂに鉛直に懸吊された矩形断面の棒材である。この吊り材１７を段板１３に固着する位置たる支持点は、図２に示すように、前記階段状態において後方（格納方向）に位置する段板１３ほど後方にずらされているとともに、吊り材１７は前記段板１３の側端の側方に位置している。このため、各段板１３の吊り材１７の前方には、自身の段板１３よりも前方に位置する段板１３の吊り材１７を前記格納時に収容する収容空間が存在し、よって図４に示すように、前記格納状態つまり上下一列に整列された際に、各段板１３の吊り材１７同士は干渉せずに当該格納ができるようになっている。
【００２２】
ここで、この可変階段１１を備えた前記家屋を、二階メゾネットから二層吹き抜けに模様替えする手順について説明する。
先ず、図１に示すように、階段状態の可変階段１１の各段板１３およびこれらを懸吊する各吊り材１７を、水平レール１５ａ，１５ｂの案内にて誘導されつつ後方の奥壁３へ押し込んで、図３に示すような格納状態にして、この奥壁３に、段板１３が上下に整列してなる棚を形成する。そして、この可変階段１１の水平レール１５ａ，１５ｂが配された床材５を含めて、全ての床材（図示無し）および側壁１ａ，１ｂを取り外す。尚、この床材５を取り外す際には、図４に示すように当該床材５の内で、前記格納状態にて吊り材１７が懸吊されて棚の一部となっている懸吊部５ｂは、その前端面の着脱部５ｃにて分離されて奥壁３に固着されつつ屋内に残留するようになっている。また、前記水平レール１５ａ，１５ｂもこれに対応して前記着脱部５ｃで分離可能となっている。よって、床材５が取り外されても、この懸吊部５ｂだけは屋内に残されて、前記棚は維持される。
【００２３】
このように本第１実施形態の可変階段１１を用いれば、階段の撤去をすることなく、二層メゾネットから二層吹き抜けに簡単に模様替えをすることができる。尚、この二層吹き抜けから二層メゾネットへの模様替えは、前記と逆の手順にてなすことができるのでその説明は割愛する。
【００２４】
以上説明してきた本第１実施形態にあっては、水平レール１５ａ，１５ｂを天井５ａに配して、支持材として吊り材１７を用いたが、これに限るものではなく、前記水平レールを床６に配して、この水平レールに案内される支柱等によって、前記段板１３をその下方から支持しても良い。
【００２５】
図５は、前記第１実施形態の改良例の側面図であり、図５（ａ）にその階段状態を、また図５（ｂ）にその格納状態をそれぞれ示す。前述した第１実施形態の可変階段１１にあっては、その階段状態において相隣接する前後の段板１３の位置関係は互いに規定されておらず、その都度、これら段板１３の前後間隔を微調整しなければならなかったが、本改良例にあっては、最下段の段板１３を前方へ引き出すだけで、適宜な前後の位置に段板１３が配されて階段状態になるようになっている。
【００２６】
このような改良例の可変階段２１は、図５に示すように、各段板１３の後端縁に、前記長片としての蹴込み板１９の下端縁が固着されている。また、各段板１３の先端縁には、下方へ突出する前記短片としての係合平板１８が先端縁に亘って固着されている。よって、図６の格納状態にある最下段の段板１３を引き出せば、各段板１３の蹴込み板１９の上端縁が、一段上段の段板１３先端縁の前記係合平板１８に係合してこれら段板間隔が一定に規定されて、つまり位置決めがなされる。そして、順次この位置決めが上段側へ繰り返されていって、図５に示すように適度な前後間隔に段板１３が自動的に配されて階段状態を形成することができる。
【００２７】
尚、本改良例にあっては、各吊り材１７の上端部には、その四周面を覆うように矩形筒状の弾性体からなるストッパー１６が固着されており、図５（ｂ）に示すように前記格納状態にて、その前後の吊り材１７の同ストッパー１６と当接して、格納状態の位置決めになるとともに、この位置決め時の衝撃を吸収する緩衝材としても機能する。
【００２８】
図６は、本発明の可変階段の第２実施形態を示し、階段状態の可変階段を前方から見た斜視図である。尚、前記第１実施形態と同一構成部分には同一符号を付して重複する説明は省略する。
【００２９】
第１実施形態では左右両側に側壁１ａ，１ｂがあったところ、本第２実施形態の可変階段３１は、片側が側壁１ａに沿いもう一方は室内空間に露出した半露出階段である点で相違する。
【００３０】
この側壁１ａには、段板１３の一方の側端１３ａと係合して水平移動可能に案内する段板レールとして水平な係合溝１４ａが、各段板１３に対応してそれぞれ形成されている。また、天井５ａの矩形開口７には、これに沿うとともに前記段板レール１４ａと平行に水平レール１５ｂが配されていて、段板数分の吊り材１７が懸吊されている。そして、各吊り材１７の下端部は、それぞれ前記各段板１３のもう一方の側端１３ｂ面に固着されてこれを支持し、前記段板レール１４ａによる支持と合わせて各段板１３は両端支持されている。そして、これら段板１３は、前方に引き出されて階段状態になり階段として使用され、後方の奥壁３に押し込まれて格納状態になり棚として使用される。
【００３１】
尚、段板１３における吊り材１７は、第１実施形態と同様に、その支持点が階段状態において格納方向たる後方に位置する段板ほど後方にずらされているとともに、段板１３の側端の側方に位置しているので、隣接する吊り材１７と干渉することなく格納状態にすることができる。
また、前記改良例に係る蹴込み板および係合平板の構成を適用して、階段状態および格納状態の位置決めを容易にできるようにしても良い。
【００３２】
図７は、本発明の可変階段の第３実施形態を示し、階段状態の可変階段を前方から見た斜視図である。尚、前記第１実施形態と同一構成部分には同一符号を付して重複する説明は省略する。
【００３３】
第１実施形態が直階段であったところ、本第３実施形態の可変階段４１は、中段に踊り場が設けられてＵ型に方向を変えて昇降する折り返し階段である点で相違する。尚、この折り返し階段の踊り場１３ｃを挟んだ上部階段と下部階段とは、互いに同段数かつ同奥行き幅の段板１３から構成されている。
【００３４】
前記階段状態において上下関係にある上部階段の段板１３と下部階段の段板１３の、互いに近隣する側端１３ｂ，１３ａ面は、共通の支柱１７ａが固着されて連結されている。そして、この支柱１７ａは更に下方に延長し、その下端は床６に配された水平レール１５ｃに案内支持されている。また、段板１３に支柱１７ａを固着する位置たる支持点は、第１実施形態の吊り材１７の場合と同様に階段状態において格納方向たる後方に位置する段板１３ほど後方にずらされているとともに、支柱１７ａは段板１３側端の側方に位置している。よって、第１実施形態の吊り材１７の場合と同様、格納状態における支柱１７ａ同士の干渉は避けられている。
【００３５】
一方、天井５ａには、その矩形開口７に沿って前記床６の水平レール１５ｃと平行に一対の水平レール１５ａ，１５ｂが配されている。そして、この一対の水平レール１５ａ，１５ｂには、それぞれ吊り材１７が懸吊され、この一対の吊り材１７の下端部に、前記上部階段および下部階段の段板１３の、それぞれのもう一方の側端１３ａ，１３ｂ面が固着されている。そして、これと前記支柱１７ａとによって、上部階段および下部階段のそれぞれの段板１３は両端支持されている。
【００３６】
尚、前記中段の踊り場１３ｃの幅方向中央には、格納状態において前記支柱１７ａを収容できるように、図示無しの切り欠きが設けられている。
【００３７】
また、前記改良例に係る蹴込み板および係合平板の構成を、前記下部階段に適用すれば、階段状態および格納状態の位置決めを容易になすことができる。更に、かかる位置決めを安定化させるには、更に上部階段に類似の構成を適用するのが望ましいが、その際には、前記改良例とは概ね逆の構成となる。すなわち、段板先端縁に、前記長片としての蹴込み板の上端縁を固着するとともに、段板の前端縁に上方へ突出する前記短片としての係合平板を固着して、格納状態から階段状態へと引き出す際に蹴込み板の下端縁が一段下段の段板の係合平板の上端縁に係合するようにすれば良い。
【００３８】
【発明の効果】
以上説明したように、請求項１に示す発明によれば、可変階段用の大きな格納スペースを要しないので、利用可能スペースが減殺されることはない。
また、この格納状態にあっては、段板は棚板となって物品を載置収納することができるので、更なるスペースの有効利用が図れる。
更に、水平レールの本数は最低一本から構成することができて、これが配される天井や床の美観に優れる。
【００３９】
請求項２に示す発明によれば、各支持材および各水平レールの支持荷重を分散軽減できるので、支持健全性に優れる。
また、段板の姿勢が著しく安定するので、安心して階段を昇降できる。
更には、支持材の格納方向の逆側に存在する空間を、支持材の前記収容空間に使用することができるので、収容空間を別途設ける必要はなく、構成を簡略化できる。
【００４０】
請求項３に示す発明によれば、片側が壁に沿う半露出階段を、格納可能な可変階段にすることができる。
また、段板レールおよび水平レールに作用する支持荷重を分散し軽減することができるので、支持健全性に優れる。
更に、段板の姿勢が著しく安定するので、安心して階段を昇降できる。
【００４１】
請求項４に示す発明によれば、折り返し階段を、格納可能な可変階段にすることができる。
また、支持材数および水平レール数を削減できて、安価にできる。
更に、段板の姿勢が著しく安定するので、安心して階段を昇降できる。
【００４２】
請求項５に示す発明によれば、階段状態において格納方向の最も逆側に位置する段板を引き押しすれば、容易に階段状態および格納状態にすることができるので、簡単に模様替えができる。
【００４３】
請求項６に示す発明によれば、前記位置決め手段の一方である長片を省略することができるので、部品数を減らせて安価にできる。
【図面の簡単な説明】
【図１】階段状態の第１実施形態を前方から見た斜視図である。
【図２】図１中のII-II線矢視の側面図である。
【図３】格納状態の第１実施形態を前方から見た斜視図である。
【図４】図３中のIV−IV線矢視の側面図である。
【図５】前記第１実施形態の改良例の側面図である。
【図６】階段状態の第２実施形態を前方から見た斜視図である。
【図７】階段状態の第３実施形態を前方から見た斜視図である。
【符号の説明】
１１  可変階段
１３  段板
１５ａ，１５ｂ  水平レール
１７  吊り材、（支持材）
【図１】
0004710183.tif 000002
【図２】
0004710183.tif 000003
【図３】
0004710183.tif 000004
【図４】
0004710183.tif 000005
【図５】
0004710183.tif 000006
【図６】
0004710183.tif 000007
【図７】
0004710183.tif 000008